(57)【要約】【課題】本発明は、読取可能範囲を超える大きさの原稿の分割読取画像を自動結合する画像処理装置、画像読取装置、画像処理プログラム及び記録媒体に関する。【解決手段】画像読取形成装置１は、原稿読取部２０で、原稿面が最大スキャン可能範囲よりも大きい原稿を複数回に分割して読み取ると、該分割読取画像の連続性を画像データ加工部１５で判断し、連続性が確認されると、画像データ加工部１５で該分割読取画像をその連続性に応じた状態で結合する。したがって、１回で読み取ることのできない大きな原稿を分割して読み取っても、各分割読取画像の連続性を判断して自動結合することができる。【選択図】          図１
2008288783.tif 000002
【特許請求の範囲】
【請求項１】
１つの原稿画像が複数回に分割して読み取られた分割読取画像の連続性を判断する連続性判断手段と、該連続性判断手段で連続すると判断された該分割読取画像を該連続性に応じた状態で結合する結合手段と、該連続判断手段及び該結合手段を制御して該分割読取画像をその連続性に基づいて結合させる分割読取画像結合処理を行う制御手段と、を備えていることを特徴とする画像処理装置。
【請求項２】
原稿の画像を読み取る画像読取手段と、該画像読取手段で１つの原稿画像を複数回に分割して読み取られた分割読取画像の連続性を判断する連続性判断手段と、該連続性判断手段で連続すると判断された該分割読取画像を該連続性に応じた状態で結合する結合手段と、該連続判断手段及び該結合手段を制御して該分割読取画像をその連続性に基づいて結合させる分割読取画像結合処理を行う制御手段と、を備えていることを特徴とする画像読取装置。
【請求項３】
前記分割読取画像結合処理の実行の要否を選択する選択手段を備え、前記制御手段は、該選択手段の選択に応じて該分割読取画像結合処理の実行／非実行を制御することを特徴とする請求項１記載の画像処理装置または請求項２記載の画像読取装置。
【請求項４】
前記分割読取画像を保存する記憶手段を備え、前記制御手段は、前記１つの原稿の分割読取画像を順次該記憶手段に保存して、該原稿の全ての分割読取画像が該記憶手段に保存されると、前記連続性判断手段に該分割読取画像の連続性を順次判断させ、前記結合手段に該連続性判断結果に基づいて該分割読取画像を結合させる一括結合処理を行うことを特徴とする請求項１から請求項３のいずれかに記載の画像処理装置または画像読取装置。
【請求項５】
前記制御手段は、前記１つの原稿の分割読取画像が発生する毎に、前記連続性判断手段に該分割読取画像の連続性を判断させ、前記結合手段に該連続性判断結果に基づいて該分割読取画像を結合させる順次結合処理を行うことを特徴とする請求項１から請求項３のいずれかに記載の画像処理装置または画像読取装置。
【請求項６】
前記連続性判断対象の分割読取画像に対して少なくとも１種類以上の画像変換処理を施す画像変換手段を備え、前記制御手段は、前記連続性判断手段が該分割読取画像に連続性が確認されないと判断すると、該画像変換手段に該分割読取画像に対して画像変換処理を施させ、該連続性判断手段に該画像変換処理後の分割読取画像の連続性を判断させる処理を該分割読取画像に連続性が確認されるか該画像変換手段が該全ての種類の画像変換処理を実行するまで繰り返し実行することを特徴とする請求項１から請求項５のいずれかに記載の画像処理装置または画像読取装置。
【請求項７】
前記分割読取画像に対して文字認識処理を施す文字認識処理手段を備え、前記連続性判断手段は、該文字認識処理手段で文字認識処理の施された分割読取画像の文字情報の一致性に基づいて該分割読取画像の連続性を判断することを特徴とする請求項１から請求項６のいずれかに記載の画像処理装置または画像読取装置。
【請求項８】
前記分割読取画像がビットマップ画像であり、前記連続性判断手段は、該分割読取画像のビットマップの一致性に基づいて該分割読取画像の連続性を判断することを特徴とする請求項１から請求項６のいずれかに記載の画像処理装置または画像読取装置。
【請求項９】
画像処理装置または画像読取装置に請求項１から請求項８のいずれかに記載の画像処理装置または画像読取装置として機能させることを特徴とする画像処理プログラム。
【請求項１０】
請求項９記載の画像処理プログラムを記録することを特徴とする記録媒体。
【発明の詳細な説明】
【技術分野】
【０００１】
本発明は、画像処理装置、画像読取装置、画像処理プログラム及び記録媒体に関し、詳細には、読取可能範囲を超える大きさの読み取りデータを結合する画像処理装置、画像読取装置、画像処理プログラム及び記録媒体に関する。
【背景技術】
【０００２】
近時、コンピュータの普及に伴って、事務処理も電子化が進み、例えば、企業内での文書の取り扱いも、コンピュータを利用した電子文書ベースで情報がやり取りされるようになってきている。
【０００３】
しかし、会議や打ち合わせ等を含め相変わらず紙ベースの文書を利用している状況もあり、紙ベースの文書の需要はなくならないと考えられるが、逆に、文書が電子化される状況において、紙ベースでしか存在しない文書の取り扱いが非常に難しくなっている。
【０００４】
このような紙の文書を電子化するために、従来からスキャナ装置等の画像読取装置で文書を主走査・副走査して文書の画像を読み取って、ネットワーク等を介してコンピュータ等のホスト装置に取り込むことが行われている（特許文献１参照）。
【０００５】
そして、この従来技術には、原稿の読み取りを行う前にプリスキャンを行って、最大読取範囲内において必要な画像範囲を読取範囲として指定したり、スキャン条件を設定可能であることが示されている。
【０００６】
【特許文献１】特開平９−５１３９８号公報
【発明の開示】
【発明が解決しようとする課題】
【０００７】
しかしながら、上記従来技術にあっては、画像読取装置の読み取り可能な最大読取範囲を超える大きな原稿画像を読み取る場合については記載されておらず、このような最大読取範囲を超える原稿画像は、従来、原稿画像を複数の読取範囲に分割して複数回に分けて読み取って、分割された画像として印刷出力や保存されたり、コンピュータ等に送信されている。元々１つの画像が複数に分割されて印刷出力や保存されたり、送信されることとなり、最大読取可能範囲を超える大きさの画像を生成することができないだけでなく、１部の画像が紛失したり、漏洩することがあり、画像の管理性、利用性、機密性を向上させる上で改良の必要があった。
【０００８】
そこで、本発明は、複数の読取画像の連続性を判断して、結合し、画像の管理性、利用性及び機密性を向上させることのできる画像処理装置、画像読取装置、画像処理プログラム及び記録媒体を提供することを目的としている。
【課題を解決するための手段】
【０００９】
請求項１記載の発明の画像処理装置は、１つの原稿画像が複数回に分割して読み取られた分割読取画像の連続性を判断する連続性判断手段と、該連続性判断手段で連続すると判断された該分割読取画像を該連続性に応じた状態で結合する結合手段と、該連続判断手段及び該結合手段を制御して該分割読取画像をその連続性に基づいて結合させる分割読取画像結合処理を行う制御手段と、を備えていることにより、上記目的を達成している。
【００１０】
請求項２記載の発明の画像読取装置は、原稿の画像を読み取る画像読取手段と、該画像読取手段で１つの原稿画像を複数回に分割して読み取られた分割読取画像の連続性を判断する連続性判断手段と、該連続性判断手段で連続すると判断された該分割読取画像を該連続性に応じた状態で結合する結合手段と、該連続判断手段及び該結合手段を制御して該分割読取画像をその連続性に基づいて結合させる分割読取画像結合処理を行う制御手段と、を備えていることにより、上記目的を達成している。
【００１１】
上記各場合において、例えば、請求項３に記載するように、前記分割読取画像結合処理の実行の要否を選択する選択手段を備え、前記制御手段は、該選択手段の選択に応じて該分割読取画像結合処理の実行／非実行を制御してもよい。
【００１２】
また、請求項１から請求項３の場合、例えば、請求項４に記載するように、前記分割読取画像を保存する記憶手段を備え、前記制御手段は、前記１つの原稿の分割読取画像を順次該記憶手段に保存して、該原稿の全ての分割読取画像が該記憶手段に保存されると、前記連続性判断手段に該分割読取画像の連続性を順次判断させ、前記結合手段に該連続性判断結果に基づいて該分割読取画像を結合させる一括結合処理を行ってもよい。
【００１３】
さらに、請求項１から請求項３の場合、例えば、請求項５に記載するように、前記制御手段は、前記１つの原稿の分割読取画像が発生する毎に、前記連続性判断手段に該分割読取画像の連続性を判断させ、前記結合手段に該連続性判断結果に基づいて該分割読取画像を結合させる順次結合処理を行ってもよい。
【００１４】
また、請求項１から請求項５の場合、例えば、請求項６に記載するように、前記連続性判断対象の分割読取画像に対して少なくとも１種類以上の画像変換処理を施す画像変換手段を備え、前記制御手段は、前記連続性判断手段が該分割読取画像に連続性が確認されないと判断すると、該画像変換手段に該分割読取画像に対して画像変換処理を施させ、該連続性判断手段に該画像変換処理後の分割読取画像の連続性を判断させる処理を該分割読取画像に連続性が確認されるか該画像変換手段が該全ての種類の画像変換処理を実行するまで繰り返し実行してもよい。
【００１５】
さらに、請求項１から請求項６の場合、例えば、請求項７に記載するように、前記分割読取画像に対して文字認識処理を施す文字認識処理手段を備え、前記連続性判断手段は、該文字認識処理手段で文字認識処理の施された分割読取画像の文字情報の一致性に基づいて該分割読取画像の連続性を判断してもよい。
【００１６】
また、請求項１から請求項６の場合、例えば、請求項８に記載するように、前記分割読取画像がビットマップ画像であり、前記連続性判断手段は、該分割読取画像のビットマップの一致性に基づいて該分割読取画像の連続性を判断してもよい。
【００１７】
請求項９記載の発明の画像処理プログラムは、画像処理装置または画像読取装置に請求項１から請求項８のいずれかに記載の画像処理装置または画像読取装置として機能させることにより、上記目的を達成している。
【００１８】
請求項１０記載の発明の記録媒体は、請求項９記載の画像処理プログラムを記録することにより、上記目的を達成している。
【発明の効果】
【００１９】
本発明によれば、１つの原稿画像が複数回に分割して読み取られた分割読取画像の連続性を判断して、該連続性が確認されると、該分割読取画像をその連続性に応じた状態で結合するので、１回で読み取ることのできない大きな原稿を分割して読み取っても、各分割読取画像の連続性を判断して結合することができ、画像の管理性、利用性を向上させることができるとともに、１つの画像として管理することで、機密性を向上させることができる。
【発明を実施するための最良の形態】
【００２０】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２１】
図１〜図９は、本発明の画像処理装置、画像読取装置、画像処理プログラム及び記録媒体の第１実施例を示す図であり、図１は、本発明の画像処理装置、画像読取装置、画像処理プログラム及び記録媒体の第１実施例を適用した画像読取形成装置１のブロック構成図である。
【００２２】
図１において、画像読取形成装置（画像読取装置）１は、コントローラ１０、原稿読取部２０及び操作パネル３０等を備えており、さらに、画像データ出力部４０として、画像形成部を備えていたり、大容量記憶部を備えていたりしていてもよいし、ネットワーク等を介して接続されたコンピュータ等を画像データ出力部４０として画像データを送信してもよい。
【００２３】
コントローラ１０は、ＣＰＵ（Central Processing Unit ）１１、ＲＯＭ（Read Only Memory）１２、ＲＡＭ（Random Access Memory）１３、画像データ記憶部１４、画像データ加工部１５、原稿読取部Ｉ／Ｆ１６及び画像データ出力Ｉ／Ｆ１７等を備えており、主要各部は、システムバス１８により接続されている。
【００２４】
原稿読取部（画像読取手段）２０は、原稿読取部Ｉ／Ｆ１６に接続されており、原稿と読取光を副走査方向に相対移動させながら該原稿に該読取光を照射してその反射光をＣＣＤ（Charge Coupled Device ）等の光電変換素子で光電変換することで原稿を主走査及び副走査して該原稿の画像を読み取ってデジタルの画像データとして原稿読取部Ｉ／Ｆ１６及びシステムバス１８を介してＲＡＭ１３または画像データ記憶部１４に送る。
【００２５】
原稿読取部２０は、例えば、図２（ｂ）に示すように、その読み取り可能な範囲の最大範囲（最大スキャン可能範囲）ＭＳが決まっており、図２（ａ）に示すような最大スキャン可能範囲ＭＳよりも大きい原稿面を有する原稿Ａを読み取る場合、図２（ｃ）に示すように、最大スキャン可能範囲ＭＳが重なり合わないように接する状態で原稿Ａを４つのスキャン領域Ａ−１〜Ａ−４に分けて分割スキャンすることで読み取ったり、この図２（ｃ）のような状態で原稿読取部２０にスキャンさせることが困難な場合には、通常、図２（ｄ）に示すように、原稿Ａを各スキャン領域Ａ−ａ〜Ａ−ｇを一部重ね合わせて複数（図２（ｄ）の場合、７つ）に分割して読み取ることが一般的に行われる。なお、本実施例で対象とする原稿Ａは、文字からなる文章原稿だけでなく、画像原稿及びこれらが複合的に存在する複合原稿も含む広い意味での原稿である。
【００２６】
ＲＯＭ１２は、画像読取形成装置１としての基本プログラムや後述する画像処理プログラム及び必要なデータ等を格納している。
【００２７】
ＣＰＵ（制御手段）１１は、ＲＯＭ１２内のプログラムに基づいてＲＡＭ１３をワークメモリとして利用しつつ、画像読取形成装置１の各部を制御して、画像読取形成装置１としての基本動作を制御行わせるとともに、後述する分割読取画像結合処理を実行する。
【００２８】
ＲＡＭ（記憶手段）１３は、ＣＰＵ１１のワークメモリとして利用されるとともに、原稿読取部２０の読み取った画像データや画像処理中の画像データを一時記憶するのに使用される。
【００２９】
画像データ記憶部（記憶手段）１４は、ハードディスクや大容量ＲＡＭ等が用いられ、原稿読取部２０の読み取った画像データや画像処理中の画像データを記憶する。
【００３０】
画像データ加工部（連続性判断手段、結合手段）１５は、ＣＰＵ１１の制御下で、分割読取画像データの連続性判断処理や画像データの加工、例えば、画像の変形処理、画像回転処理、画像移動処理、画像結合処理等を行う。
【００３１】
原稿読取部Ｉ／Ｆ１６には、上述のように、原稿読取部２０が接続されており、原稿読取部２０との間で制御信号やデータの授受を行う。
【００３２】
画像データ出力Ｉ／Ｆ１７には、上記画像データ出力部４０が接続され、画像データ出力部４０との間で制御信号やデータの授受を行う。画像データ出力部４０は、所定の印刷方式、例えば、電子写真方式でコントローラ１０から受け取った画像データを用紙に印刷出力するプリンタ部だけでなく、コントローラ１０からの画像データを受信して蓄積する大容量記憶装置やコントローラ１０からの画像データを受信して各種データ加工を行ったり保存等を行うコンピュータ等であってもよい。
【００３３】
操作パネル（選択手段）３０は、図３に示すように、表示パネルとタッチパネルが一体化された表示部３１と機械ボタンとしてのスタートボタン３２、ストップボタン３３、メインボタン３４等が設けられており、表示部３１は、その表示パネルに各種情報やタッチボタン等を表示し、該表示されているタッチボタンの表示部分のタッチパネルがタッチ操作されることで入力操作を可能としている。例えば、図３では、表示部３１に原稿Ａをそのままスキャンする通常スキャンボタンＳａと、分割読取画像結合処理を指示操作する分割スキャン自動マージボタンＳｂと、が分割スキャン選択画面Ｇ１（選択手段）として表示されている。
【００３４】
スタートボタン３２は、各種コマンドの決定や画像読取形成装置１の各種動作の開始の指示、特に、後述する分割スキャン（分割読み取り）する場合の各分割スキャン開始指示等の操作に使用され、ストップボタン３３は、各種コマンドの取消や画像読取形成装置１の各種動作の終了の指示、特に、後述する分割スキャンする場合の分割スキャン終了指示等の操作に使用される。メインボタン３４は、画像読取形成装置１の備えている各種機能を読み出して表示部３１に表示させる操作等に使用される。
【００３５】
そして、画像読取形成装置１は、ＣＤ（Compact Disc）、ＭＯ（光磁気ディスク）、ＣＤ−ＲＯＭ（Compact Disc Read Only Memory ）、ＣＤ−ＲＷ（Compact Disc Rewritable ）、ＤＶＤ（Digital Video Disk）、メモリカードフレキシブルディスク等の記録媒体に記録されている上記分割読取画像結合処理プログラム（画像処理プログラム）を、上記ＲＯＭ１２または図示しない不揮発性メモリ等に読み込んで格納して、実行することで、後述する分割読取画像結合処理を実行する画像読取形成装置１として構築されている。
【００３６】
次に、本実施例の作用を説明する。本実施例の画像読取形成装置１は、最大スキャン可能範囲ＭＳよりも大きい原稿面を有する原稿Ａを読み取った画像データ（分割読取画像）をＲＡＭ１３または画像データ記憶部１４に順次保存して、全ての分割読取画像がＲＡＭ１３または画像データ記憶部１４に保存されると、その連続性を自動判断して１つの画像データに結合（マージ）する一括結合処理を行って、出力する。
【００３７】
そして、この最大スキャン可能範囲ＭＳよりも大きい原稿Ａを分割スキャンしてマージ（結合）する場合、前もってスキャン回数を指定する方法とスタートボタン３２とストップボタン３３でスキャンを制御する方法とを選択することができる。まず、スキャン回数を前もって指定して分割スキャンして画像結合する場合の分割読取画像結合処理について、図４に基づいて説明する。
【００３８】
すなわち、画像読取形成装置１は、操作パネル３０の操作で原稿スキャンモードが選択されると、ＣＰＵ１１が、図３に示したように、通常スキャンボタンＳａと分割スキャン自動マージボタンＳｂを含む分割スキャン選択画面Ｇ１を操作パネル３０の表示部３１に表示させ、図４に示すように、スキャンモードとして通常スキャンモードと分割スキャン自動マージモードのいずれのモードが選択されたかチェックする（ステップＳ１０１）。
【００３９】
ステップＳ１０１で、通常スキャンボタンＳａによって通常スキャンモードが選択されて、原稿Ａが原稿読取部２０のスキャン領域にセットされ、スタートボタン３２が操作されると、ＣＰＵ１１は、原稿読取部Ｉ／Ｆ１６を介して原稿読取部２０を制御して、原稿読取部２０に読み取り対象の原稿Ａの読み取りを行わせる（ステップＳ１０２）。ＣＰＵ１１は、原稿読取部２０の読み取った原稿Ａの画像データをシステムバス１８を通してＲＡＭ１３または画像データ記憶部１４に一次保存した後、画像データ加工部１５に必要な画像処理を施させて、画像データ出力Ｉ／Ｆ１７を介して画像データ出力部４０に出力して処理を終了する（ステップＳ１０３）。
【００４０】
ステップＳ１０１で、分割スキャン自動マージボタンＳｂが操作されて分割スキャン自動マージモードが選択されると、図５に示すようなスキャン回数入力画面Ｇ２を表示させて、該スキャン回数入力画面Ｇ２でスキャン回数が入力され（ステップＳ１０４）、原稿Ａが原稿読取部２０のスキャン領域にセットされて、スタートボタン３２が操作されると、ＣＰＵ１１は、原稿読取部Ｉ／Ｆ１６を介して原稿読取部２０を制御して、原稿読取部２０に読み取り対象の原稿Ａの読み取りを行わせて、原稿読取部２０の読み取った原稿Ａの画像データをシステムバス１８を通してＲＡＭ１３または画像データ記憶部１４に分割読取画像データとして一次保存する（ステップＳ１０５）。なお、ＣＰＵ１１は、この図５のスキャン回数入力画面Ｇ２では、表示部３１に、スキャン回数を入力するためのテンキーＫＤと、該テンキーＫＤで入力されたスキャン回数を表示するスキャン回数ダイアログＮＤを表示させて、テンキーＫＤで入力されたスキャン回数をスキャン回数ダイアログＮＤに表示させることで、スキャン回数の入力と入力されたスキャン回数の確認を行わせる。例えば、図２（ａ）に示した原稿Ａを、図２（ｄ）に示したように７つに分割して読み取る場合には、スキャン回数として「７」が入力される。
【００４１】
ＣＰＵ１１は、原稿読取部２０に原稿Ａの読み取りを行わせると、読み取った回数（読み取った画像データの数）がステップＳ１０４で指定された指定スキャン回数になったか、すなわち、指定回数読み取ったかチェックし（ステップＳ１０６）、指定回数読み取っていないときには、ステップＳ１０５に戻って、原稿Ａの次の読み取り対象部分が原稿読取部２０のスキャン領域にセットされて、スタートボタン３２が操作されると、原稿読取部Ｉ／Ｆ１６を介して原稿読取部２０を制御して、原稿読取部２０に読み取り対象の原稿Ａの読み取りを行わせて、読み取りが完了すると、指定回数読み取ったかチェックする処理を繰り返し行う（ステップＳ１０５、Ｓ１０６）。
【００４２】
ステップＳ１０６で、指定回数読み取りを行うと、ＣＰＵ１１は、ＲＡＭ１３または画像データ記憶部１４に一時保管した各読取画像データ（分割読取画像データ）間の連続性の解析を画像データ加工部１５に行わせ、該連続性の解析結果に基づいて該読取画像データを結合させて画像データ記憶部１４に保管する（ステップＳ１０７）。
【００４３】
ＣＰＵ１１は、画像データ加工部１５での全ての分割読取画像データの結合が完了すると、該結合後の画像データを、画像データ加工部１５に必要な画像処理を施させた後、画像データ出力Ｉ／Ｆ１７を介して画像データ出力部４０に出力して処理を終了する（ステップＳ１０３）。
【００４４】
なお、上記説明では、原稿Ａを分割スキャンする場合に、先に、分割数であるスキャン回数を入力指定しているが、分割スキャンの手順は、前もってスキャン回数を入力指定するものに限らず、図６に示すように、先にスキャン回数を入力せずに、分割スキャンを行わせて、原稿Ａの最後の分割領域までスキャンが完了すると、分割スキャンの終了を操作パネル３０の操作（例えば、ストップボタン３３の操作）で指示するようにしてもよい。
【００４５】
この場合、ＣＰＵ１１は、上記同様に、図３に示したように、分割スキャン選択画面Ｇ１を操作パネル３０の表示部３１に表示させ、図６に示すように、スキャンモードとして通常スキャンモードと分割スキャン自動マージモードのいずれのモードが選択されたかチェックする（ステップＳ２０１）。
【００４６】
ステップＳ２０１で、分割スキャン選択画面Ｇ１の通常スキャンボタンＳａが操作されて通常スキャンモードが選択され、ＣＰＵ１１は、原稿Ａが原稿読取部２０のスキャン領域にセットされて、スタートボタン３２が操作されると、原稿読取部２０に読み取り対象の原稿Ａの読み取りを行わせ（ステップＳ２０２）、原稿読取部２０の読み取った原稿Ａの画像データをＲＡＭ１３または画像データ記憶部１４に一次保存した後、画像データ加工部１５に必要な画像処理を施させて、画像データ出力Ｉ／Ｆ１７を介して画像データ出力部４０に出力して処理を終了する（ステップＳ２０３）。
【００４７】
ステップＳ２０１で、分割スキャン選択画面Ｇ１の分割スキャン自動マージボタンＳｂが操作されて分割スキャン自動マージモードが選択されると、図７に示すようなスキャン操作ガイダンス画面Ｇ３を表示させる。このスキャン操作ガイダンス画面Ｇ３は、例えば、「原稿をセットし、ＳＴＡＲＴボタンを押してください。スキャンの終了はＳＴＯＰボタンを押してください。」等のスキャン操作ガイダンスを表示部３１に表示するものである。
【００４８】
ＣＰＵ１１は、該スキャン操作ガイダンス画面Ｇ３に従って、原稿Ａが原稿読取部２０のスキャン領域にセットされて、スタートボタン３２が操作されると、ＣＰＵ１１は、原稿読取部Ｉ／Ｆ１６を介して原稿読取部２０を制御して、原稿読取部２０に読み取り対象の原稿Ａの読み取りを行わせ（ステップＳ２０４）、スタートボタン（ＳＴＡＲＴボタン）３２が押されずに、ストップボタン（ＳＴＯＰボタン）３３が押されたかチェックする（ステップＳ２０５）。
【００４９】
ステップＳ２０５で、ストップボタン３３が押されないときには、ＣＰＵ１１は、ステップＳ２０４に戻って、原稿Ａの次の読み取り対象部分が原稿読取部２０のスキャン領域にセットされて、スタートボタン３２が操作されると、原稿読取部Ｉ／Ｆ１６を介して原稿読取部２０を制御して、原稿読取部２０に読み取り対象の原稿Ａの読み取りを行わせて、読み取りが完了すると、スタートボタン３２が押されずに、ストップボタン３３が押されたかチェックする処理を繰り返し行う（ステップＳ２０４、Ｓ２０５）。
【００５０】
ステップＳ２０５で、スタートボタン３２が押されずに、ストップボタン３３が押されると、ＣＰＵ１１は、原稿Ａのユーザがマージしたい全ての領域をスキャンしたと判断して、ＲＡＭ１３または画像データ記憶部１４に一時保管した分割読取画像データを順次画像データ加工部１５に渡して、画像データ加工部１５に各分割読取画像データ間の連続性の解析を行わせ、該連続性の解析結果に基づいて画像データ加工部１５に該読取画像データを結合させて画像データ記憶部１４に保管する（ステップＳ２０６）。
【００５１】
ＣＰＵ１１は、画像データ加工部１５での全ての読取画像データの結合が完了すると、該結合後の画像データを、画像データ加工部１５に必要な画像処理を施させた後、画像データ出力Ｉ／Ｆ１７を介して画像データ出力部４０に出力して処理を終了する（ステップＳ２０３）。
【００５２】
そして、画像データ加工部１５は、図４のステップＳ１０７での画像結合処理及び図６のステップＳ２０６での画像結合処理を、図８に示すように実行する。
【００５３】
すなわち、画像データ加工部１５は、図８に示すように、まず、処理対象の画像データが初めて処理する画像データでないかチェックし（ステップＳ３０１）、初めて処理する画像データであるときには、連続性を判断する相手画像データ（結合相手の画像データ）が存在しないため、次の画像データの処理に移行する。
【００５４】
ステップＳ３０１で、処理対象の画像データが初めて処理する画像データでないときには、画像データ加工部１５は、先の画像データ（この先の画像は、先に処理されている画像データで、既に複数の画像データが結合されている画像データであることもある）との連続性があるか判断し（ステップＳ３０２）、連続性がないときには、同じ原稿Ａの画像データではないと判断して、ステップＳ３０１に戻って次の画像の処理に移行する。
【００５５】
この連続性の判断は、例えば、連続性判断対象の２つの画像データに対して、文字認識処理を行い、文字認識処理の結果得られた文字列の一致性や文書としての整合性を判別することで、２つの画像データの連続性を判断する文字認識連続性判断方法、連続性判断対象の２つの画像データ（ビットマップ画像データ）を重ね合わせて、ビットマップの一致性を判別することで、２つの画像データの連続性を判断する重ね合わせ連続性判断方法等を用いることができる。なお、連続性の判断方法は、上記２つの判断方法に限るものではなく、画像データの連続性を適切に判断することのできる方法であれば、どのような方法であってもよい。また、画像データ加工部１５は、この画像データの連続性の判断では、後続の画像データが先の画像データのどの位置にどのような角度で連続するかの連続状態をも判断する。
【００５６】
ステップＳ３０２で、連続性があると、画像データ加工部１５は、該２つの画像データを結合（マージ）し（ステップＳ３０３）、連続性を確認していない画像データがＲＡＭ１３または画像データ記憶部１４に残っているかチェックする（ステップＳ３０４）。
【００５７】
ステップＳ３０４で、連続性を確認していない画像データが残っているときには、画像データ加工部１５は、ステップＳ３０１に戻って、次の画像データについて上記同様に連続性の判断、画像データのマージを行い（ステップＳ３０１〜Ｓ３０４）、ステップＳ３０４で、連続性を確認していない画像データが残っていないときには、画像結合処理を終了する。
【００５８】
このように、本実施例の画像読取形成装置１は、１つの原稿Ａの画像が複数回に分割して読み取られた分割読取画像の連続性を判断して、該連続性が確認されると、該分割読取画像をその連続性に応じた状態で結合している。
【００５９】
したがって、１回で読み取ることのできない大きな原稿Ａを分割して読み取っても、各分割読取画像の連続性を判断して結合することができ、画像の管理性、利用性を向上させることができるとともに、１つの画像として管理することで、機密性を向上させることができ、また、最大スキャン可能範囲ＭＳを超える大きな画像を生成することができる。
【００６０】
また、本実施例の画像読取形成装置１は、操作パネル３０の分割スキャン選択画面Ｇ１を表示して、通常スキャンボタンＳａと分割スキャン自動マージボタンＳｂが選択操作されると、ＣＰＵ１１が、該選択に応じて該分割読取画像結合処理の実行／非実行を制御している。
【００６１】
ユーザの意図に応じて分割読取画像結合処理を適宜実行させることができ、利用性を向上させることができる。
【００６２】
さらに、本実施例の画像読取形成装置１は、ＣＰＵ１１が、原稿読取部２０の読み取った１つの原稿Ａの分割読取画像を順次該ＲＡＭ１３または画像データ記憶部１４に保存して、該原稿Ａの全ての分割読取画像が該ＲＡＭ１３または画像データ記憶部１４に保存されると、画像データ加工部１５に、該分割読取画像の連続性を順次判断させ、該連続性判断結果に基づいて該分割読取画像を結合させる一括結合処理を行っている。
【００６３】
したがって、ある分割読取画像が発生した時点、すなわち、原稿読取部２０で分割スキャンで読み取られた画像が発生した時点で、連続性が確認されず結合（マージ）できる画像がなくても、後で連続性が確認されて結合できる画像が発生する場合にも、適切に画像の連続性を判断して結合することができ、読み取り順に依存することなく、確実に分割読取画像を結合することができる。
【００６４】
また、本実施例の画像読取形成装置１は、画像データ加工部１５が、連続性の判断を、例えば、連続性判断対象の２つの画像データに対して、文字認識処理を行い、文字認識処理の結果得られた文字列の一致性や文書としての整合性を判別することで、２つの画像データの連続性を判断する文字認識連続性判断方法、連続性判断対象の２つの画像データを重ね合わせて、ビットマップの一致性を判別することで、２つの画像データの連続性を判断する重ね合わせ連続性判断方法を用いて行っている。
【００６５】
したがって、文字情報を用いて画像の連続性の評価を行うことで、文字情報の画像を違和感なく結合することができ、また、ビットマップによって画像の連続性の判断を確実に行うことで、画像を違和感なく結合することができる。
【００６６】
そして、図８の画像結合処理の画像の連続性の判断では、例えば、図９に示すように、現在処理対象の画像データに各種画像変換処理を施して、画像変換処理後の画像データと先の画像データとの連続性の判断を行ってもよい。なお、図９では、図８と同様の処理ステップには、同一のステップナンバを付している。
【００６７】
すなわち、画像データ加工部１５は、処理対象の画像データが初めて処理する画像データでないかチェックし（ステップＳ３０１）、初めて処理する画像データであるときには、連続性を判断して結合する相手画像データが存在しないため、次の画像データの処理に移行する。
【００６８】
ステップＳ３０１で、処理対象の画像データが初めての画像データでないときには、画像データ加工部１５は、先の画像データとの連続性があるか判断し（ステップＳ３０２）、連続性がないときには、予め用意されている複数の画像変換処理のうち、試していない画像変換処理があるかチェックする（ステップＳ４０１）。この画像変換処理としては、例えば、画像の平行移動、画像の回転移動等の画像の連続性を判断するのに必要な各種変換処理である。
【００６９】
ステップＳ４０１で、試していない画像変換処理があるときには、画像データ加工部１５は、処理対象の画像データに該試していない画像変換処理を施し（ステップＳ４０２）、先の画像データとの連続性があるか判断する（ステップＳ３０２）。
【００７０】
ステップＳ３０２で、なお、連続性がないときには、画像データ加工部１５は、さらに、試していない画像変換処理があるかチェックして、試していない画像変換処理があるときには、画像データ加工部１５は、処理対象の画像データに該試していない画像変換処理を施して、先の画像データとの連続性があるか判断する処理を繰り返し行う（ステップＳＳ４０１、Ｓ４０２、Ｓ３０２）。
【００７１】
ステップＳ４０１で、試していない画像変換処理がないとき、すなわち、全ての画像変換処理を試したときには、画像データ加工部１５は、画像の連続性がないと判断して、ステップＳ３０１に戻って、次の画像の処理に移行する。
【００７２】
ステップＳ３０２で、連続性があると、画像データ加工部１５は、該２つの画像データを結合（マージ）し（ステップＳ３０３）、連続性を確認していない画像データがＲＡＭ１３または画像データ記憶部１４に残っているかチェックする（ステップＳ３０４）。
【００７３】
ステップＳ３０４で、連続性を確認していない画像データが残っているときには、画像データ加工部１５は、ステップＳ３０１に戻って、次の画像データについて上記同様に連続性の判断、画像変換処理、画像データのマージを行い（ステップＳ３０１、Ｓ３０２、Ｓ４０１、Ｓ４０２、Ｓ３０３、Ｓ３０４）、ステップＳ３０４で、連続性を確認していない画像データが残っていないときには、画像結合処理を終了する。
【００７４】
このように、本実施例の画像読取形成装置１は、分割読取画像の連続性が確認できるまで、または、備えている全ての種類の画像変換処理を行うまで、画像変換処理を行う。
【００７５】
したがって、分割読取画像のずれを修正して確実に連続性を判断することができ、より一層適切かつ確実に画像を結合（マージ）することができる。
【実施例２】
【００７６】
図１０〜図１３は、本発明の本発明の画像処理装置、画像読取装置、画像処理プログラム及び記録媒体の第２実施例を示す図である。
【００７７】
なお、本実施例は、上記第１実施例の画像読取形成装置１と同様の画像読取形成装置に適用したものであり、本実施例の説明においては、必要に応じて、上記第１実施例の説明で用いた符号をそのまま用いて説明する。
【００７８】
原稿読取部２０の最大スキャン可能範囲ＭＳよりも大きい原稿Ａを分割スキャンして自動マージする場合に、上記第１実施例では、該原稿Ａの必要な範囲の読み取りを全て完了した後に画像の連続性の判断と結合を行う一括結合処理を行っているが、本実施例は、原稿Ａの読み取りを行う毎に、画像の連続性の判断と結合を行う順次結合処理を行う。また、本実施例においても、分割スキャンを行う場合に、上記第１実施例の場合と同様に、前もって、分割スキャン回数を入力する方法と、スタートボタン３２とストップボタン３３でスキャンを制御する方法とを選択で用いることができる。まず、スキャン回数を前もって指定して分割スキャンして画像結合する場合の分割読取画像結合処理について、図１０に基づいて説明する。
【００７９】
すなわち、画像読取形成装置１は、操作パネル３０の操作で原稿スキャンモードが選択されると、ＣＰＵ１１が、図３に示したように、通常スキャンボタンＳａと分割スキャン自動マージボタンＳｂを有する分割スキャン選択画面Ｇ１を操作パネル３０の表示部３１に表示させ、図１０に示すように、スキャンモードとして通常スキャンモードと分割スキャン自動マージモードのいずれのモードが選択されたかチェックする（ステップＳ５０１）。
【００８０】
ステップＳ５０１で、通常スキャンボタンＳａが操作されて通常スキャンモードが選択され、原稿Ａ（図２参照）が原稿読取部２０のスキャン領域にセットされて、スタートボタン３２が操作されると、ＣＰＵ１１は、原稿読取部Ｉ／Ｆ１６を介して原稿読取部２０を制御して、原稿読取部２０に読み取り対象の原稿Ａの読み取りを行わせる（ステップＳ５０２）。ＣＰＵ１１は、原稿読取部２０の読み取った原稿Ａの画像データをシステムバス１８を通してＲＡＭ１３または画像データ記憶部１４に一次保存した後、画像データ加工部１５に必要な画像処理を施させて、画像データ出力Ｉ／Ｆ１７を介して画像データ出力部４０に出力して処理を終了する（ステップＳ５０３）。
【００８１】
ステップＳ５０１で、分割スキャン自動マージボタンＳｂが操作されて分割スキャン自動マージモードが選択されると、図５に示したようなスキャン回数入力画面Ｇ２を表示させて、該スキャン回数入力画面Ｇ２でスキャン回数が入力され（ステップＳ５０４）、原稿Ａが原稿読取部２０のスキャン領域にセットされて、スタートボタン３２が操作されると、ＣＰＵ１１は、原稿読取部Ｉ／Ｆ１６を介して原稿読取部２０を制御して、原稿読取部２０に読み取り対象の原稿Ａの読み取りを行わせて、原稿読取部２０の読み取った原稿Ａの画像データをシステムバス１８を通してＲＡＭ１３または画像データ記憶部１４に一次保存する（ステップＳ５０５）。
【００８２】
ＣＰＵ１１は、原稿読取部２０に原稿Ａの読み取りを行わせて、原稿読取部２０の読み取った原稿Ａの画像データのをＲＡＭ１３または画像データ記憶部１４に一次保存すると、画像データ加工部１５に、該ＲＡＭ１３または画像データ記憶部１４に一時保管した読取画像データの連続性の解析を行わせて、該連続性の解析結果に基づいて画像データ加工部１５に該読取画像データを結合させる画像結合処理を行わせる（ステップＳ５０６）。
【００８３】
ＣＰＵ１１は、画像データ加工部１５に画像結合処理を行わせると、原稿読取部２０で原稿Ａを読み取った回数がステップＳ５０４で指定された指定スキャン回数になったか、すなわち、指定回数読み取ったかチェックし（ステップＳ５０７）、指定回数読み取っていないときには、ステップＳ５０５に戻って、原稿Ａの次の読み取り対象部分が原稿読取部２０のスキャン領域にセットされて、スタートボタン３２が操作されると、原稿読取部２０を制御して、原稿読取部２０に読み取り対象の原稿Ａの読み取りを行わせて、読み取りが完了すると、画像データ加工部１５に画像結合処理を行わせて、指定回数読み取ったかチェックする処理を繰り返し行う（ステップＳ５０５〜Ｓ５０７）。
【００８４】
ステップＳ５０７で、指定回数読み取りを行うと、ＣＰＵ１１は、結合後の画像データを、画像データ加工部１５に必要な画像処理を施させた後、画像データ出力Ｉ／Ｆ１７を介して画像データ出力部４０に出力して処理を終了する（ステップＳ５０３）。
【００８５】
また、本実施例においても、上記説明では、原稿Ａを分割スキャンする場合に、先に、分割数であるスキャン回数を入力指定しているが、分割スキャンの手順は、スキャン回数を入力指定するものに限らず、前もってスキャン回数を入力せずに、分割スキャンを行わせて、読み取った画像データを結合させる画像結合処理を行って、分割スキャンの終了を操作パネル３０の操作（例えば、ストップボタン３３の押下）で指示されると、処理を終了するようにしてもよい。
【００８６】
この場合、ＣＰＵ１１は、上記同様に、図３に示したように、分割スキャン選択画面Ｇ１を操作パネル３０の表示部３１に表示させ、図１１に示すように、スキャンモードとして通常スキャンモードと分割スキャン自動マージモードのいずれのモードが選択されたかチェックする（ステップＳ６０１）。
【００８７】
ステップＳ６０１で、通常スキャンボタンＳａが操作されて通常スキャンモードが選択され、ＣＰＵ１１は、原稿Ａが原稿読取部２０のスキャン領域にセットされて、スタートボタン３２が操作されると、原稿読取部２０に読み取り対象の原稿Ａの読み取りを行わせ（ステップＳ６０２）、原稿読取部２０の読み取った原稿Ａの画像データをＲＡＭ１３または画像データ記憶部１４に一次保存した後、画像データ加工部１５に必要な画像処理を施させて、画像データ出力Ｉ／Ｆ１７を介して画像データ出力部４０に出力して処理を終了する（ステップＳ６０３）。
【００８８】
ステップＳ６０１で、分割スキャン自動マージボタンＳｂが操作されて分割スキャン自動マージモードが選択されると、ＣＰＵ１１は、図７に示したようなスキャン操作ガイダンス画面Ｇ３を表示させて、該スキャン操作ガイダンス画面Ｇ３に従って、原稿Ａが原稿読取部２０のスキャン領域にセットされ、スタートボタン３２が操作されると、原稿読取部Ｉ／Ｆ１６を介して原稿読取部２０を制御して、原稿読取部２０に読み取り対象の原稿Ａの読み取りを行わせて、原稿読取部２０の読み取った原稿Ａの画像データをシステムバス１８を通してＲＡＭ１３または画像データ記憶部１４に一次保存する（ステップＳ６０４）。
【００８９】
ＣＰＵ１１は、原稿読取部２０に原稿Ａの読み取りを行わせて、原稿読取部２０の読み取った原稿Ａの画像データのをＲＡＭ１３または画像データ記憶部１４に一次保存すると、画像データ加工部１５に、該ＲＡＭ１３または画像データ記憶部１４に一時保管した読取画像データの連続性の解析を行わせ、さらに、該連続性の解析結果に基づいて該読取画像データを結合させる画像結合処理を行わせる（ステップＳ６０５）。
【００９０】
ＣＰＵ１１は、画像データ加工部１５に画像結合処理を行わせると、スタートボタン（ＳＴＡＲＴボタン）３２が押されずに、ストップボタン（ＳＴＯＰボタン）３３が押されたかチェックする（ステップＳ６０６）。
【００９１】
ステップＳ６０６で、ストップボタン３３が押されないときには、ＣＰＵ１１は、ステップＳ６０４に戻って、原稿Ａの次の読み取り対象部分が原稿読取部２０のスキャン領域にセットされて、スタートボタン３２が操作されると、原稿読取部２０を制御して、原稿読取部２０に読み取り対象の原稿Ａの読み取りを行わせて、読み取りが完了すると、画像データ加工部１５に画像結合処理を行わせて、スタートボタン３２が押されずに、ストップボタン３３が押されたかチェックする処理を繰り返し行う（ステップＳ６０４〜Ｓ６０６）。
【００９２】
ステップＳ２０５で、スタートボタン３２が押されずに、ストップボタン３３が押されると、ＣＰＵ１１は、結合後の画像データを、画像データ加工部１５に必要な画像処理を施させた後、画像データ出力Ｉ／Ｆ１７を介して画像データ出力部４０に出力して処理を終了する（ステップＳ６０３）。
【００９３】
そして、画像データ加工部１５は、図１０のステップＳ５０６での画像結合処理及び図１１のステップＳ６０５での画像結合処理を、図１２に示すように実行する。
【００９４】
すなわち、画像データ加工部１５は、図１２に示すように、まず、処理対象の画像データが初めて処理する画像データでないかチェックし（ステップＳ３０１）、初めて処理する画像データであるときには、連続性を判断する相手画像データ（結合相手の画像データ）が存在しないため、次の画像データの処理に移行する。
【００９５】
ステップＳ３０１で、処理対象の画像データが初めて処理する画像データでないときには、画像データ加工部１５は、先の画像データ（先に処理されている画像データ）との連続性があるか判断し（ステップＳ７０２）、連続性がないときには、同じ原稿Ａの画像データではないと判断して、ステップＳ３０１に戻って次の画像データの処理に移行する。この連続性の判断は、上記第１実施例の場合と同様である。
【００９６】
ステップＳ７０２で、連続性があると、画像データ加工部１５は、該２つの画像データを結合（マージ）して、画像結合処理を終了する（ステップＳ７０３）。
【００９７】
また、図１２の画像結合処理の画像の連続性の判断では、例えば、図１３に示すように、現在処理対象の画像データに各種画像変換処理を施して、画像変換処理後の画像データと先の画像データとの連続性の判断を行ってもよい。なお、図１３では、図１２と同様の処理ステップには、同一のステップナンバを付している。
【００９８】
すなわち、画像データ加工部１５は、処理対象の画像データが初めて処理する画像データでないかチェックし（ステップＳ７０１）、初めて処理する画像データであるときには、連続性を判断する相手画像データが存在しないため、画像結合処理を終了する。
【００９９】
ステップＳ７０１で、処理対象の画像データが初めて処理する画像データでないときには、画像データ加工部１５は、先の画像データとの連続性があるか判断し（ステップＳ７７０２）、連続性がないときには、予め用意されている複数の画像変換処理のうち、試していない画像変換処理があるかチェックする（ステップＳ８０１）。この画像変換処理は、上記第１実施例の図９の場合と同様で、例えば、画像の平行移動、画像の回転移動等の画像の連続性を判断するのに必要な各種変換処理である。
【０１００】
ステップＳ８０１で、試していない画像変換処理があるときには、画像データ加工部１５は、処理対象の画像データに該試していない画像変換処理を施し（ステップＳ８０２）、先の画像データとの連続性があるか判断する（ステップＳ７０２）。
【０１０１】
ステップＳ７０２で、なお、連続性がないときには、画像データ加工部１５は、さらに、試していない画像変換処理があるかチェックして、試していない画像変換処理があるときには、画像データ加工部１５は、処理対象の画像データに該試していない画像変換処理を施して、先の画像データとの連続性があるか判断する処理を繰り返し行う（ステップＳＳ８０１、Ｓ８０２、Ｓ７０２）。
【０１０２】
ステップＳ８０１で、試していない画像変換処理がないとき、すなわち、全ての画像変換処理を試したときには、画像データ加工部１５は、画像の連続性がないと判断して、画像結合処理を終了する。
【０１０３】
ステップＳ７０２で、連続性があると、画像データ加工部１５は、該２つの画像データを結合（マージ）して（ステップＳ７０３）、画像結合処理を終了する。
【０１０４】
このように、本実施例の画像読取形成装置１は、ＣＰＵ１１が、原稿読取部２０で分割領域の画像の読み取りを行って、１つの原稿の分割読取画像が発生する毎に、画像データ加工部１５に該分割読取画像の連続性を判断させ、該連続性判断結果に基づいて該分割読取画像を結合させる順次結合処理を行っている。
【０１０５】
したがって、処理中の画像データを記憶するためのリソースを最小限に抑制することができ、コストを削減することができる。
【０１０６】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１０７】
本発明は、読取可能範囲を超える大きさの読取画像データを結合する画像処理装置、この画像処理装置を内蔵するスキャナ装置、複合装置等の画像読取装置、これらの画像処理装置や画像読取装置に適用される画像処理プログラム及び該画像処理プログラムを記録する記録媒体に利用することができる。
【図面の簡単な説明】
【０１０８】
【図１】本発明の第１実施例を適用した画像読取形成装置のブロック構成図。
【図２】図１の画像読取形成装置による読取原稿、最大スキャン可能範囲及び分割スキャンの説明図。
【図３】図１の操作パネルの分割スキャン選択画面を表示している状態の平面図。
【図４】図１の画像読取形成装置によるスキャン回数を前もって指定して分割スキャンして画像結合する場合の分割読取画像結合処理を示すフローチャート。
【図５】図１の操作パネルのスキャン回数入力画面を表示している状態の平面図。
【図６】図１の画像読取形成装置によるスキャン回数を前もって指定せずに分割スキャンして画像結合する場合の分割読取画像結合処理を示すフローチャート。
【図７】図１の操作パネルのスキャン操作ガイダンス画面を表示している状態の平面図。
【図８】図４及び図６の画像結合処理の詳細な処理を示すフローチャート。
【図９】図８の画像結合処理に画像変換処理を追加処理する場合の画像結合処理を示すフローチャート。
【図１０】本実施例の第２実施例の画像読取形成装置によるスキャン回数を前もって指定して分割スキャンして画像結合する場合の分割読取画像結合処理を示すフローチャート。
【図１１】本実施例の第２実施例の画像読取形成装置によるスキャン回数を前もって指定せずに分割スキャンして画像結合する場合の分割読取画像結合処理を示すフローチャート。
【図１２】図１０及び図１１の画像結合処理の詳細な処理を示すフローチャート。
【図１３】図１３の画像結合処理に画像変換処理を追加処理する場合の画像結合処理を示すフローチャート。
【符号の説明】
【０１０９】
１  画像読取形成装置
１０  コントローラ
１１  ＣＰＵ
１２  ＲＯＭ
１３  ＲＡＭ
１４  画像データ記憶部
１５  画像データ加工部
１６  原稿読取部Ｉ／Ｆ
１７  画像データ出力Ｉ／Ｆ
１８  システムバス
２０  原稿読取部
３０  操作パネル
３１  表示部
３２  スタートボタン
３３  ストップボタン
３４  メインボタン
Ｓａ  通常スキャンボタン
Ｓｂ  分割スキャン自動マージボタン
Ｇ１  分割スキャン選択画面
Ｇ２  スキャン回数入力画面
Ｇ３  スキャン操作ガイダンス画面
４０  画像データ出力部
Ａ  原稿
ＭＳ  最大スキャン可能範囲
【図１】
2008288783.tif 000003
【図２】
2008288783.tif 000004
【図３】
2008288783.tif 000005
【図４】
2008288783.tif 000006
【図５】
2008288783.tif 000007
【図６】
2008288783.tif 000008
【図７】
2008288783.tif 000009
【図８】
2008288783.tif 000010
【図９】
2008288783.tif 000011
【図１０】
2008288783.tif 000012
【図１１】
2008288783.tif 000013
【図１２】
2008288783.tif 000014
【図１３】
2008288783.tif 000015